(57)【要約】【課題】クランプ運動器具を提供する。【解決手段】クランプ運動器具は、第１の受力体１１０と、第１の受力体１１０に枢着される第２の受力体１２０と、両端がそれぞれ第１の受力体１１０と第２の受力体１２０に固着される固定式の弾性復帰部材１３０と、両端がそれぞれ第１の受力体１１０と第２の受力体１２０にも当接される少なくとも１つの調節可能な弾性復帰部材１４０と、を含む。寿命及び弾性挟持力を向上させるために、固定式の弾性復帰部材１３０及び調節可能な弾性復帰部材１４０に蓄力スプリングコイル１３２、１４３が製作される。【選択図】図２
0003213470.tif 000002
【実用新案登録請求の範囲】
【請求項１】
枢着部と、２つの対向側面にそれぞれ少なくとも１つの第１の収容溝及び少なくとも１つの第２の収容溝が設けられる延伸部と、を有する第１の受力体と、
前記延伸部によって覆われる端面と、少なくとも１つの第３の収容溝が設けられる側面と、を有する端部を有し、前記第１の受力体と夾角を成すように前記枢着部に枢着される第２の受力体と、
それぞれ前記第１の受力体及び前記第２の受力体に固着し、対向する２つの接続端と、前記２つの接続端の間に位置する蓄力スプリングコイルと、を有する固定式の弾性復帰部材と、
対向する、前記第１の収容溝に収容される第１の端と、前記第２の収容溝又は前記第３の収容溝に選択的に収容される第２の端と、前記第１の端と前記第２の端の間に位置する蓄力スプリングコイルと、を有する少なくとも１つの調節可能な弾性復帰部材と、
を含み、
前記第１の収容溝、前記第２の収容溝、及び、前記第３の収容溝は、前記調節可能な弾性復帰部材とセットで対応し、且つ、前記固定式の弾性復帰部材と前記調節可能な弾性復帰部材とは、前記夾角を介して互いに並列されるクランプ運動器具。
【請求項２】
前記第１の受力体は第１の柵部を更に含み、且つ、前記第２の受力体は前記第１の柵部に対応する第２の柵部を更に含み、前記第１の柵部と前記第２の柵部は、前記調節可能な弾性復帰部材をリミットするために用いられる請求項１に記載のクランプ運動器具。
【請求項３】
それぞれ前記第１の柵部及び前記第２の柵部を覆うように前記第１の受力体及び前記第２の受力体に組み付けられ、前記調節可能な弾性復帰部材に対応する少なくとも１つの貫通孔を有する、一対になる２つのリッドシェルと、
前記貫通孔と前記調節可能な弾性復帰部材に対応して、それぞれ前記２つのリッドシェルに組み付けられ、前記調節可能な弾性復帰部材の前記第２の端の前記第２の収容溝と前記第３の収容溝との間での切り換えを調整するために用いられる、一対になる少なくとも２つの調整部材と、
を更に含む請求項２に記載のクランプ運動器具。
【請求項４】
前記固定式の弾性復帰部材と前記調節可能な弾性復帰部材とは、何れも８字状の環状になる請求項１に記載のクランプ運動器具。
【請求項５】
前記固定式の弾性復帰部材は、それぞれ前記延伸部と前記端部に固着する請求項１に記載のクランプ運動器具。
【請求項６】
ロッドを更に含み、
前記第２の受力体及び前記第１の受力体は、前記ロッドで前記枢着部に枢着される請求項１に記載のクランプ運動器具。
【請求項７】
プレスする回数を統計するためのカウントユニットと、前記カウントユニットに連結し、前記カウントユニットに統計される回数を表示するための表示ユニットと、を含み、前記第１の受力体又は前記第２の受力体に設けられる機能モジュールを更に含む請求項１に記載のクランプ運動器具。
【請求項８】
枢着部を有する第１の受力体と、
前記第１の受力体と夾角を成すように前記枢着部に枢着される第２の受力体と、
それぞれ前記第１の受力体及び前記第２の受力体に当接されて対向する両端と、前記両端の間に位置する蓄力スプリングコイルと、を有し、前記夾角を介して互いに並列される複数の弾性復帰部材と、
を含むクランプ運動器具。
【請求項９】
前記弾性復帰部材は、何れも８字状の環状になる請求項８に記載のクランプ運動器具。
【請求項１０】
前記蓄力スプリングコイルは、一体的に巻き付けられて成形されるように、前記両端の間に位置する請求項８に記載のクランプ運動器具。
【考案の詳細な説明】
【技術分野】
【０００１】
本考案は、運動器具に関し、特に、往復して挟んで付勢制御するクランプ運動器具に関する。
【背景技術】
【０００２】
現代人は、体の健康と格好いいスタイルのために、各種の運動器具で体をトレーニングすることがよくある。体の箇所における異なる筋肉によって、用いられる運動器具も異なっている。しかしながら、運動器具の形態が如何に変わっても、主要な原理方式として、何れも筋肉が繰り返して使用する途中で段々強くなるように、運動器具の使用者を付勢させることである。運動器具の付勢力弾性は、各人の力によって、所要の生成力のニーズも異なる。
しかしながら、現在、多くの運動器具は、単一な力の弾性ユニットで付勢力弾性を達成させるものであり、力の大きい人に対しては付勢力弾性が足りないが、力の小さい人に対しては付勢力弾性は大きすぎるので、却って使用者に使用を放棄させる恐れがある。そのため、現在、異なる段階又は部位に使用するために、使用者は、殆ど、握力運動器具、握力棒及び足部運動器具等の、異なるボディー部位の力に相応しい多種の運動器具を購入し、また、太さの異なる弾性ストリップを有する多種の運動器具を購入して運動する消費者もある。
しかし、前記従来の手段は、完善でなく、且つ、コストを無駄にする。
【０００３】
従来のクランプ運動器具は、多様化した機能等の特徴で非常に人気がある。クランプ運動器具は、背中、胸、腹、大腿の内側、アーム及び腕等の筋肉群をトレーニングすることができる。適度な筋力トレーニングにより、筋肉量を成し、年寄りによる筋肉の減少を避け、また、体の安定度と平衡力を向上させ、疲労及び痛みを緩解すると共に、骨粗鬆及び高血圧を予防することができる。
【０００４】
現在のクランプ運動器具は、主に、２つの付勢ロッドでＣ型スプリングに合わせて構成される。使用者は、両手、両足、両手で腹に合わせて、片手でサイドに合わせるような様々な方式で、２つの付勢ロッドを繰り返してプレス及びリラックスすることで、スプリングの弾性張力に対抗して体の各部位における筋力をトレーニングする目的を達成させる。特に、最近、Ｃ型スプリングを増加又は減少することで弾性張力を変化させるクランプ運動器具が既に現れている。しかし、Ｃ型スプリングは、弾力区間が大きくなく、且つ、寿命が短いので、更に、現在のクランプ運動器具のメンテナンス又は調節可能な区間が小さすぎる悩みをもたらす。
【０００５】
これに鑑みて、本考案者は、クランプ運動器具の操作制御形態を改善し、多段の使用力を調整でき且つ寿命が長く、使用者が自ら調整使用できるのに好適な弾性区間を更に有するクランプ運動器具を考案した。
【考案の概要】
【考案が解決しようとする課題】
【０００６】
本考案は、製品の寿命が長く、且つ、使用者が自ら調整使用できるのに好適な弾性区間を有するクランプ運動器具を提供する。
【課題を解決するための手段】
【０００７】
本考案の一態樣のクランプ運動器具は、「枢着部を有する第１の受力体」と、「第１の受力体と夾角を成すように枢着部に枢着される第２の受力体」と、「それぞれ第１の受力体及び第２の受力体に当接されて対向する両端と、両端の間に位置する蓄力スプリングコイルと、をそれぞれ有し、夾角を介して第２の受力体と第１の受力体との間に互いに並列して設けられる複数の弾性復帰部材」と、を含む。
【０００８】
それによって、蓄力スプリングコイルを有する弾性復帰部材によって、本考案の製品は弾性操作の耐性が高くて、寿命を効果的に延長する。且つ、蓄力スプリングコイルは、弾性復帰部材に使用者が自ら調整使用できるのに好適な（大きい変形量）弾性区間を提供する。
【０００９】
前記のクランプ運動器具によれば、前記弾性復帰部材は、何れも８字状の環状をなってもよい。且つ、弾性復帰部材は、クランプ運動器具に固定又は調整可能に取り付けられてもよい。また、前記弾性復帰部材の蓄力スプリングコイルとして、一体的に巻き付けられて成形されたものを採用する。
【００１０】
本考案の別の態様のクランプ運動器具は、「枢着部と、２つの対向側面にそれぞれ少なくとも１つの第１の収容溝及び少なくとも１つの第２の収容溝が設けられる延伸部と、を有する第１の受力体」と、「延伸部によって覆われる端面と、少なくとも１つの第３の収容溝が設けられる側面と、を有する端部を有し、第１の受力体と夾角を成すように枢着部に枢着される第２の受力体」と、「それぞれ第１の受力体及び第２の受力体に固着し対向する２つの接続端と、２つの接続端の間に位置する蓄力スプリングコイルと、を有する固定式の弾性復帰部材」と、「対向する、第１の収容溝に収容される第１の端、第２の収容溝又は第３の収容溝内に選択的に収容される第２の端、及び第１の端と第２の端の間に位置する蓄力スプリングコイルを有する少なくとも１つの調節可能な弾性復帰部材」と、を含む。第１の収容溝、第２の収容溝、及び、第３の収容溝は、調節可能な弾性復帰部材とセットで対応し、且つ、固定式の弾性復帰部材と調節可能な弾性復帰部材とは、何れも夾角を介して互いに並列される。
【００１１】
本考案の他の実施可能な例は、下記のとおりである。
第１の受力体は第１の柵部を含んでよく、且つ第２の受力体は第２の柵部を含んでよく、第２の柵部は、第１の柵部に対応し、且つ、第１の柵部と第２の柵部は、調節可能な弾性復帰部材をリミットするために用いられる。
本考案の固定式の弾性復帰部材又は調節可能な弾性復帰部材は、８字状の環状になってよい。
【００１２】
本考案は、それぞれ第１の柵部及び第２の柵部を覆うように第１の受力体及び第２の受力体に組み付けられ、調節可能な弾性復帰部材に対応する少なくとも１つの貫通孔を有する一対になる２つのリッドシェルが設けられてもよい。また、貫通孔と調節可能な弾性復帰部材に対応して、それぞれ２つのリッドシェルに組み付けられ、調節可能な弾性復帰部材の第２の端を第２の収容溝と第３の収容溝との間での切り換えを調整するための一対になる２つの調整部材を有してもよい。
【００１３】
尚、本考案は、ロッドを更に含んでもよい。第２の受力体は、ロッドで枢着部に枢着され第１の受力体の枢着を達成する。
また、プレスする回数を統計するためのカウントユニットと、カウントユニットに連結し且つカウントユニットに統計される回数を表示するための表示ユニットとを含む機能モジュールが、第１の受力体又は第２の受力体に設けられる。
下記の図面の詳細な説明は、本考案の前記目的、特徴、利点及び実施例をより分りやすくするためのものである。
【図面の簡単な説明】
【００１４】
【図１】本考案の一実施形態によるクランプ運動器具を示す斜視図である。
【図２】図１の局所分解図である。
【図３】図１の局所斜視図である。
【図４】図１の調節可能な弾性復帰部材を示すＡ−Ａ線に沿う局所断面図である。
【図５】図１の調節可能な弾性復帰部材とその蓄力スプリングコイルを示す平面図である。
【図６】本考案の別の実施形態によるクランプ運動器具を示す局所斜視図である。
【図７】図６のクランプ運動器具の機能モジュールを示すブロック図である。
【考案を実施するための形態】
【００１５】
以下、図面を参照して本考案の複数の実施形態を説明する。明らかに説明するために、下記で多くの実際の細部を合わせて説明する。しかしながら、理解すべきなのは、これらの実際の細部が、本考案を制限するためのものではない。つまり、本考案の実施形態の一部において、これらの実際の細部は、必ずしも必要ではない。また、図面を簡略化するために、ある従来慣用の構造及び要素については、図面において簡単で模式的に示される。且つ、重なる要素は、同じ番号で示すことがある。
【００１６】
（一実施形態）
図１〜図３を参照されたい。図１〜図３は、本考案の一実施形態によるクランプ運動器具１００を示す斜視図、局所分解図及び局所斜視図である。
図に示すように、クランプ運動器具１００は、第１の受力体１１０と、第２の受力体１２０と、固定式の弾性復帰部材１３０と、４つの調節可能な弾性復帰部材１４０、一対になる２つのリッドシェル１５０と、四組の一対になる２つの調整部材１６０と、ロッド１７０と、を含む。固定式の弾性復帰部材１３０及び各調節可能な弾性復帰部材１４０とは、何れも８字状の環状を呈し、且つ、開口を有する。
【００１７】
第１の受力体１１０は、枢着部１１１、延伸部１１２及び第１の柵部１１３を有する。延伸部１１２の２つの対向側面にはそれぞれ、対応する４つの第１の収容溝１１４及び４つの第２の収容溝１１５が設けられる。第２の受力体１２０は、端部１２１及び第２の柵部１２２を有する。第２の柵部１２２と端部１２１とは一体に接続し成形される。端部は、端面１２１Ａと側面１２１Ｂを有する。
第２の受力体１２０は、ロッド１７０で第１の受力体１１０の枢着部１１１に枢着され、第１の受力体１１０と夾角Ｒを成し、且つ、第１の受力体１１０の延伸部１１２は、ちょうど第２の受力体１２０の端部１２１の端面１２１Ａを覆う。第２の柵部１２２は、ちょうど第１の柵部１１３に対応する。
尚、端部１２１の側面１２１Ｂに４つの第３の収容溝１２３が設けられる。且つ、各第３の収容溝１２３は、各第２の収容溝１１５に対応して切り換え軌道を形成する。
【００１８】
固定式の弾性復帰部材１３０は、対向する２つの接続端１３１と、一体的に巻き付けられて成形されるように、２つの接続端１３１の間に位置する蓄力スプリングコイル１３２と、を有する。固定式の弾性復帰部材１３０は、何れも８字状の環状になり、且つ、開口を有する。２つの接続端１３１は、それぞれ第１の受力体１１０と第２の受力体１２０に固着し、固定式の弾性復帰部材１３０でクランプ運動器具１００の基本的な弾性張力を提供する。
具体的には、固定式の弾性復帰部材１３０は、それぞれ第１の受力体１１０の延伸部１１２と第２の受力体１２０の端部１２１に固着する。
より具体的には、２つの接続端１３１は、延伸部１１２の第１の収容溝１１４を有する面及び端部１２１の第３の収容溝１２３を有する面に固着される。それによって、クランプ運動器具１００は、外力作用を受けない時、第１の受力体１１０が第２の受力体１２０に枢着された後に成される夾角Ｒを常態に維持させることができる。
【００１９】
各調節可能な弾性復帰部材１４０は、対向する、第１の収容溝１１４に収容される第１の端１４１と、切り換え軌道に沿って第２の収容溝１１５と第３の収容溝１２３の間に切り換えて移動することができ第２の収容溝１１５又は第３の収容溝１２３に選択的に収容される第２の端１４２と、第１の端１４１と第２の端１４２の間に位置する蓄力スプリングコイル１４３と、を有する。言い換えれば、各調節可能な弾性復帰部材１４０と各第１の収容溝１１４、第２の収容溝１１５と第３の収容溝１２３とは、セットで対応する。
尚、固定式の弾性復帰部材１３０と各調節可能な弾性復帰部材１４０とは、何れも第１の柵部１１３と第２の柵部１２２によってリミットされ、且つ、夾角Ｒの位置を介して互いに並列され、空間では第１の受力体１１０と第２の受力体１２０との外に突出しない。したがって、クランプ運動器具１００全体の長さが長くなることを避け、クランプ運動器具１００の体積を最小化させ、収納上の利便性を向上させることができる。
【００２０】
一対になる２つのリッドシェル１５０は、それぞれ第１の柵部１１３と第２の柵部１２２を覆うように第１の受力体１１０と第２の受力体１２０に組み付けられる。各リッドシェル１５０は、第１の柵部１１３と第２の柵部１２２にリミットされる各調節可能な弾性復帰部材１４０に対応する４つの貫通孔１５１を有する。
各一対になる２つの調整部材１６０は、各貫通孔１５１と各調節可能な弾性復帰部材１４０に対応し、それぞれ２つのリッドシェル１５０上に組み付けられる。各一対になる２つの調整部材１６０は、各調節可能な弾性復帰部材１４０の第２の端１４２の第２の収容溝１１５と第３の収容溝１２３との間の切り換えを調整するように、各調節可能な弾性復帰部材１４０に押し付けられる。
【００２１】
図４及び図５を参照されたい。図４及び図５は、図１の調節可能な弾性復帰部材１４０を示すＡ−Ａ線に沿う局所断面図及び調節可能な弾性復帰部材１４０とその蓄力スプリングコイル１４３を示す平面図である。
先ず、図に示すように、調節可能な弾性復帰部材１４０は、第１の端１４１と第２の端１４２が相対的にシフトする時に大きな弾性区間を提供することができ、且つ、調節可能な弾性復帰部材１４０が往復して動作する時に力の解放及び貯蓄を行うことができる蓄力スプリングコイル１４３を有する。一対になる２つの調整部材１６０の一方は、リッドシェル１５０から突出する。そのため、使用者は、各一対になる２つの調整部材１６０によって、第２の端１４２が第２の収容溝１１５と第３の収容溝１２３との間に切り換えるように、各調節可能な弾性復帰部材１４０を調整し、クランプ運動器具１００全体の弾性張力を調整しやすくする。
次に、調節可能な弾性復帰部材１４０の第１の端１４１が第１の収容溝１１４に収容され、第２の端１４２が第３の収容溝１２３に収容される場合に、調節可能な弾性復帰部材１４０は、第１の受力体１１０と第２の受力体１２０との間に働き、更に使用者がクランプ運動器具１００を使用する時に、より大きな力を付勢しなければならない。逆に、調節可能な弾性復帰部材１４０の第１の端１４１が第１の収容溝１１４に収容され、第２の端１４２が第２の収容溝１１５に収容される時に、調節可能な弾性復帰部材１４０全体が第１の受力体１１０上に設けられるので、調節可能な弾性復帰部材１４０は使用者が第１の受力体１１０と第２の受力体１２０をプレスする時に作用を生じることがない。それによって、クランプ運動器具１００は、調節可能な弾性復帰部材１４０の蓄力スプリングコイル１４３が大きな弾性区間を提供するようにし、使用者がニーズに応じて弾性張力を調整するようにできるので、また、柔軟性を一層有することができる。
【００２２】
（別の実施形態）
図６及び図７を参照されたい。図６は、本考案の別の実施形態によるクランプ運動器具を示す局所斜視図である。図７は、本考案の別の実施形態による機能モジュールを示すブロックである。
図に示すように、クランプ運動器具２００は、第１の受力体２１０と、第２の受力体２２０と、固定式の弾性復帰部材２３０と、４つの調節可能な弾性復帰部材２４０と、一対になる２つのリッドシェル２５０と、四組の一対になる２つの調整部材（未図示）と、ロッド（未図示）と、機能モジュール２８０と、を含む。クランプ運動器具２００は、機能モジュール２８０を更に含む以外に、前記実施形態と同じであるので、別途繰り返して説明することがない。機能モジュール２８０は、カウントユニット２８１と、表示ユニット２８２と、感知ユニット２８３と、運算ユニット２８４と、設定ユニット２８５と、ヒントユニット２８６と、を含む。
前記固定式の弾性復帰部材２３０は蓄力スプリングコイル（未図示）により大きな弾性区間が提供され、調節可能な弾性復帰部材２４０は蓄力スプリングコイル２４３により大きな弾性区間が提供され、且つ、蓄力スプリングコイル２３４は前記２つの弾性復帰部材が往復動作する時に力の解放及び貯蓄を行うことができる。
【００２３】
カウントユニット２８１は、クランプ運動器具２００がプレスされる回数を計算するように、第２の受力体２２０の第１の受力体２１０に枢着する箇所に設けられてよい。
感知ユニット２８３は、調節可能な弾性復帰部材２４０の第２の端２４２が第２の収容溝２１５又は第３の収容溝２２３に収容されるかを感知するように、第２の収容溝２１５の底部又は第３の収容溝２２３の底部に設けられてよい。
表示ユニット２８２、設定ユニット２８５及びヒントユニット２８６は、ともに第２の受力体２２０の外面に設けられてよい。表示ユニット２８２は、使用者がトレーニングデータを見るように提供することができる。設定ユニット２８５は、使用者がプリセット値、例えば、見積りの達成するエネルギー消費値又は見積りのクランプ運動器具２００をプレスする回数等を入力するように提供することができる。ヒントユニット２８６は、使用者が入力されたプリセット値が達成される時にヒントを与えることができる。
【００２４】
運算ユニット２８４は、カウントユニット２８１と感知ユニット２８３からのデータを受け付けて一時に記憶し、これに基づいてエネルギー消費値を算出するように、第２の受力体２２０の内部に配置されてよい。例えば、運算ユニット２８４は、感知ユニット２８３の感知結果に基づいてクランプ運動器具２００の現在の弾性張力を取得し、カウントユニット２８１に統計されるプレス回数を合わせてエネルギー消費値を算出することができる。運算ユニット２８４は、エネルギー消費値を求めた後、データを表示ユニット２８２に伝送し使用者に表示する。
一方、使用者は、設定ユニット２８５によって関連のプリセット値（例えば、プレス回数又はエネルギー消費値）を設定することができる。設定ユニット２８５は、使用者が入力されたプリセット値を、運算ユニット２８４に伝送し一時に記憶させる。運算ユニット２８４は、内部にデータの比較を行い、使用者が入力されたプリセット値が達成されると、ヒントユニット２８６をトリガして、ヒントメッセージを出す。
【００２５】
本考案の他の実施例において、カウントユニットは、例えば、変位センサーである。表示ユニットは、例えば、デジタルディスプレイ又は音声放送装置である。感知ユニットは、例えば、圧力センサーであり、運算ユニットは、例えば、マイクロプロセッサである。設定ユニットは、例えば、ボタン又はノブである。ヒントユニットは、例えば、表示灯又はブザーである。
運算ユニットは、第１の受力体上に設けられてもよい。具体的には、運算ユニットは、第１の受力体の内部に配置されてもよい。カウントユニットは、運算ユニットによらず、プレスする回数のデータを表示ユニットに直接伝送して表示してもよい。つまり、表示ユニットは、カウントユニットに直接連結してもよく、運算ユニットを介してカウントユニットに間接連結してもよい。
機能モジュールは、適時に使用者にヒントを与えたり使用者にトレーニングデータを見せたりするように配置されてよいし、使用者が自ら目標を設定するように配置されてもよい。したがって、使用者の安定な運動量の保持に役立ち、過度のトレーニングによるストレイン等の問題を避ける。
【００２６】
尚、本考案の弾性復帰部材という用語は、固定式の弾性復帰部材及び調節可能な弾性復帰部材の２つの実施例を含む。弾性復帰部材の両端とは、固定式の弾性復帰部材の対向する２つの接続端又は調節可能な弾性復帰部材の第１の端と第２の端を指す。
【００２７】
本考案を実施形態により前記の通り開示したが、これは本考案を限定するものではなく、当該分野の技術を熟知している者であれば、本考案の精神と範囲から逸脱しない限り、様々な変動や修正を加えることができ、従って、本考案の保護範囲は、実用新案登録請求の範囲で指定した内容を基準とする。
【符号の説明】
【００２８】
１００、２００  クランプ運動器具
１１０、２１０  第１の受力体
１１１  枢着部
１１２  延伸部
１１３  第１の柵部
１１４  第１の収容溝
１１５、２１５  第２の収容溝
１２０、２２０  第２の受力体
１２１  端部
１２１Ａ  端面
１２１Ｂ  側面
１２２  第２の柵部
１２３、２２３  第３の収容溝
１３０、２３０  固定式の弾性復帰部材
１３１  接続端
１３２  蓄力スプリングコイル
１４０、２４０  調節可能な弾性復帰部材
１４１  第１の端
１４２、２４２  第２の端
１４３、２４３  蓄力スプリングコイル
１５０、２５０  リッドシェル
１５１  貫通孔
１６０  調整部材
１７０  ロッド
Ｒ  夾角
２７０  機能モジュール
２７１  カウントユニット
２７２  表示ユニット
２７３  感知ユニット
２７４  運算ユニット
２７５  設定ユニット
２７６  ヒントユニット
【図１】
0003213470.tif 000003
【図２】
0003213470.tif 000004
【図３】
0003213470.tif 000005
【図４】
0003213470.tif 000006
【図５】
0003213470.tif 000007
【図６】
0003213470.tif 000008
【図７】
0003213470.tif 000009